(57)【要約】【課題】母屋に山形の屋根材を簡単に固定可能で引張及び圧縮強度を有し、施工容易な屋根材の固定金具とする。【解決手段】梁２に固定された母屋３に山形の屋根材４を固定する屋根材の固定金具１であって、屋根材の山部４ｂの下面に当接して屋根材を支持し頂部にねじ孔２１ｂがある支持部２１と、支持部の一側端から母屋に沿って下方に延出した側部２２、側部の下部から延出して母屋に係止する係止部２３とからなる固定金具本体１１、支持部のねじ孔に螺合し下端面が母屋の上面３ｅに圧接して係止部と協働して固定金具本体を母屋に固定すると共に上部が屋根材の山部を貫通して突出するボルト１４と、ボルトが貫通され山部の上面に当接する座金１３、山部と座金との間に介在される防水パッキン１２、ボルトに螺合して山部を固定金具本体の支持部に締め付け固定するナット１５を有する。【選択図】図１
2011043033.tif 000002
【特許請求の範囲】
【請求項１】
梁に固定された母屋に山形の屋根材を固定する屋根材の固定金具であって、
前記屋根材の山部の下面に当接して前記屋根材を支持し頂部にねじ孔が設けられた支持部と、前記支持部の一側端から前記母屋に沿って下方に延出された側部と、前記側部の下部から延出して前記母屋に係止される係止部とが一体に形成された固定金具本体と、
前記支持部のねじ孔に螺合し下端面が前記母屋の上面に圧接して前記係止部と協働して前記固定金具本体を前記母屋に固定すると共に上部が前記屋根材の山部を貫通して上方に突出するボルトと、
前記屋根材の山部の上面と対応した形状をなし前記山部から突出したボルトが貫通されて前記山部の上面に当接する座金と、
前記山部と前記座金との間に介在される防水パッキンと、
前記山部から突出したボルトに螺合して前記座金と防水パッキンを介して前記山部を前記固定金具本体の支持部に締め付け固定するナットとを備えたことを特徴とする屋根材の固定金具。
【請求項２】
前記固定金具本体はプレス加工により形成され、前記支持部の一側の下端から前記側部及び前記係止部までリブが連続して形成されていることを特徴とする、請求項１に記載の屋根材の固定金具。
【請求項３】
前記母屋は、Ｃ形鋼とされ、前記固定金具本体は、前記側部の下部が前記支持部に向けて略Ｖ字状に延出されて前記係止部とされ、該係止部が前記Ｃ形鋼の開口する側の上側部に係止されることを特徴とする、請求項１又は請求項２に記載の屋根材の固定金具。
【請求項４】
前記母屋は、角形パイプ鋼とされ、前記固定金具本体は、前記側部が前記角形パイプ鋼の一側面に沿って下方に延出し、前記側部の下部が前記支持部側に前記角形パイプ鋼の下面に沿って延出しその先端部が前記角形パイプ鋼の他側の側面に沿って上方に延出して前記係止部とされ、該係止部が前記角形パイプ鋼の両側面及び下面に係止されることを特徴とする、請求項１又は請求項２に記載の屋根材の固定金具。
【請求項５】
前記固定金具本体は、前記支持部が前記屋根材の山部と対応する山形に形成され前記山部の下面に当接して前記屋根材を支持することを特徴とする、請求項１乃至請求項４の何れかに記載の屋根材の固定金具。
【請求項６】
前記屋根材の山部に応じた形状をなし、前記固定金具本体の支持部に冠着されて前記山部の下面に当接して前記屋根材を支持する座金を更に備えたことを特徴とする、請求項１乃至請求項４の何れかに記載の屋根材の固定金具。
【請求項７】
梁に固定された母屋に山形の屋根材を固定する屋根材の固定金具であって、
前記母屋に載置される上部と、該上部の一側端から前記母屋の一側の側面に沿って延出した側部と、該側部の下部に形成され前記母屋に係止される係止部と、前記上部の略中央に垂設されたボルトからなる固定金具本体と、
上部が前記屋根材の山部に応じた山形の形状をなして前記山部の下面に当接し、下端部が前記母屋に載置されて前記山部を支持し、頂部の略中央に前記ボルトが貫通するボルト貫通孔が設けられた支持部材と、
前記屋根材の山部の上面と対応した形状をなし、前記山部から突出した前記ボルトが貫通されて前記山部の上面に当接する座金と、
前記山部と前記座金との間に介在される防水パッキンと、
前記山部から突出した前記ボルトに螺合して前記座金と防水パッキンを介して前記山部を前記支持部材と前記固定金具本体と共に前記母屋に固定するナットとを備えたことを特徴とする屋根材の固定金具。
【請求項８】
前記支持部材は、前記固定金具本体の係止部と対向する側に係止部が形成され前記母屋の他側の側面に係止されることを特徴とする、請求項７に記載の屋根材の固定金具。
【請求項９】
前記母屋は、Ｃ形鋼とされ、前記固定金具本体の係止部は、前記上部に向けて略Ｖ字状に延出されて前記Ｃ形鋼の開口する側の上側部に係止されることを特徴とする、請求項７又は請求項８に記載の屋根材の固定金具。
【請求項１０】
前記母屋は、角形パイプ鋼とされ、前記固定金具本体の係止部は、前記角形パイプ鋼の下面に沿って延出されその先端部が前記角形パイプ鋼の他側の側面に沿って上方に延出されて前記角形パイプ鋼の下面と側面に係止されることを特徴とする、請求項７乃至請求項９の何れかに記載の屋根材の固定金具。
【発明の詳細な説明】
【技術分野】
【０００１】
本発明は、屋根材の固定金具に関する。
【背景技術】
【０００２】
特許文献１に記載されているように従来、例えば駅のプラットホームや工場や倉庫等の屋根は、鉄骨構造の母屋に波形の石綿スレート屋根材を葺いて構築されていることが多い。波形の石綿スレート屋根材は、断面略角形Ｃ字形状の鉄製下地材（Ｃ形鋼）からなる母屋にロックボルト（フック）とナットにより固定されている。
【先行技術文献】
【特許文献】
【０００３】
【特許文献１】特開平２００７−２３９４１５号公報（図２、５頁）
【発明の概要】
【発明が解決しようとする課題】
【０００４】
しかしながら上述した、石綿スレート屋根材は、経年変化により耐水性や耐衝撃性能が劣化してしまうため、近年石綿スレート屋根材の替わりに例えばガルバリウム鋼板などの耐蝕性に優れた材質からなる山形の金属屋根材に葺き替えられてきている。波形のスレート屋根材を剥がして山形の金属屋根材に葺き替える場合、波形のスレート屋根材と同様にロックボルト（フック）とナットにより固定すると、施工は容易であるが問題がある。即ち、ロックボルトとナットにより山形の金属屋根材を固定する場合、風により吹き上げられたときに生じる負圧（引張力）に対しては強いが、山部の上方から力が加わった場合に山部が凹んでしまいロックボルトが緩んでしまう虞がある。即ち山部の上方から力が加わった場合に生じる正圧（圧縮力）には弱いという問題がある。
【０００５】
また、駅のプラットホームの屋根材において電車の振動等によるナットの緩みを抑えるためにロックボルトにダブルナットを使用しても、長期間に亘る振動や温度変化に起因する鋼板の変形等により緩んでくるという問題もある。
【０００６】
また、母屋にタッピングしながらビスを植設して屋根材を固定する施工方法もあるが、タッピングする際に大きな騒音が発生する。特にプラットホームの屋根材の葺き替え工事は、終電から初電までの乗降者の居ない時間帯、即ち深夜の時間帯に限られているため大きな騒音を発生させることは迷惑であり、好ましくない。
【０００７】
また、ボルトを植設したタイトフレームを母屋に溶接し当該タイトフレーム上に屋根材を載置してナットで固定する施工方法もあるが、タイトフレームを母屋に溶接する場合には養生が必要となり、作業性が著しく低下する。即ち、プラットホームの屋根裏には多数のケーブルが配索されており、溶接時における伝導熱や飛散する火花等からケーブルを保護することが必要となる。また、飛散する火花から作業者や可燃物を保護することも必要となる。
【０００８】
本発明の目的は、母屋に山形の屋根材を簡単に固定することができ、かつ引張力及び圧縮力の何れに対しても強度を有すると共に施工も容易である屋根材の固定金具を提供することにある。
【課題を解決するための手段】
【０００９】
上述した課題を解決するために、本発明に係る屋根材の固定金具は、
梁に固定された母屋に山形の屋根材を固定する屋根材の固定金具であって、
前記屋根材の山部の下面に当接して前記屋根材を支持し頂部にねじ孔が設けられた支持部と、前記支持部の一側端から前記母屋に沿って下方に延出された側部と、前記側部の下部から延出して前記母屋に係止される係止部とが一体に形成された固定金具本体と、
前記支持部のねじ孔に螺合し下端面が前記母屋の上面に圧接して前記係止部と協働して前記固定金具本体を前記母屋に固定すると共に上部が前記屋根材の山部を貫通して上方に突出するボルトと、
前記屋根材の山部の上面と対応した形状をなし前記山部から突出したボルトが貫通されて前記山部の上面に当接する座金と、
前記山部と前記座金との間に介在される防水パッキンと、
前記山部から突出したボルトに螺合して前記座金と防水パッキンを介して前記山部を前記固定金具本体の支持部に締め付け固定するナットとを備えたことを特徴としている。
【００１０】
母屋の側部に固定金具本体の側部を当接し、係止部により母屋に係止し、支持部のねじ孔にボルトを締め付けてその下端面を母屋の上面に圧接させる。これにより、母屋に固定金具本体を簡単かつ強固に固定することができる。そして、支持部に屋根材の山部を載置してボルトを当該山部に貫通させる。山部の上面に防水パッキン、座金を被せて山部から突出した前記ボルトを貫通させてナットを螺合して締め付ける。山部は、下面が支持部の上面に密着し、上面に座金により防水パッキンが密着して固定される。これにより、屋根材が固定金具を介して母屋に強固に固定される。
【００１１】
ボルトは、固定金具本体の支持部のねじ孔に締め付けられ、更にナットが締め付けられることによりダブルナットと同様の効果が得られる。これにより、駅のプラットホーム等に山形の屋根材を取り付けた際に温度変化や電車の振動等に起因するボルトの緩みが防止される。更に、屋根材の葺き替えに際して騒音の発生が殆ど無くかつ作業性が良い。従って、駅のプラットホームの屋根の葺き替え作業等において終電から初電までの深夜の短い時間帯に能率良く葺き替えを行うことが可能である。
【００１２】
また、屋根材は、山部の下面が支持部の上面に密着し、上面が防水パッキンに密着して座金を介してナットにより固定されることにより、上方から加わる力（圧縮力）、下方から押し上げられる力（引張力）の何れに対しても強度を有しており、駅のプラットホーム等の風当りの強い場所に効果的である。
【００１３】
また、本発明の請求項２に係る屋根材の固定金具は、請求項１に記載の屋根材の固定金具において、
前記固定金具本体はプレス加工により形成され、前記支持部の一側の下端から前記側部及び前記係止部までリブが連続して形成されていることを特徴としている。
【００１４】
支持部の一側の下端から側部及び係止部までリブを連続して形成することにより引張力や圧縮力に対する強度が向上する。これにより、固定金具本体を薄板鋼板で形成することができ、軽量化及びコストの低減が図られる。
【００１５】
また、本発明の請求項３に係る屋根材の固定金具は、請求項１又は請求項２に記載の屋根材の固定金具において、
前記母屋は、Ｃ形鋼とされ、前記固定金具本体は、前記側部の下部が前記支持部に向けて略Ｖ字状に延出されて前記係止部とされ、該係止部が前記Ｃ形鋼の開口する側の上側部に係止されることを特徴としている。
【００１６】
固定金具本体の係止部をＣ形鋼からなる母屋の開口する側の上側部に係止することにより、固定金具本体を母屋に簡単に係止することが可能である。また、構造も簡単である。
【００１７】
また、本発明の請求項４に係る屋根材の固定金具は、請求項１又は請求項２に記載の屋根材の固定金具において、
前記母屋は、角形パイプ鋼とされ、前記固定金具本体は、前記側部が前記角形パイプ鋼の一側面に沿って下方に延出し、前記側部の下部が前記支持部側に前記角形パイプ鋼の下面に沿って延出しその先端部が前記角形パイプ鋼の他側の側面に沿って上方に延出して前記係止部とされ、該係止部が前記角形パイプ鋼の両側面及び下面に係止されることを特徴としている。
【００１８】
角形パイプ鋼をなす母屋の一側の側面、下面及び他側の側面に固定金具本体の一側の側部及び係止部を係止することにより、固定金具本体を母屋に係止する。これにより、角形パイプ鋼の母屋に固定金具本体を容易に係止することが可能である。
【００１９】
また、本発明の請求項５に係る屋根材の固定金具は、請求項１乃至請求項４の何れかに記載の屋根材の固定金具において、
前記固定金具本体は、前記支持部が前記屋根材の山部と対応する山形に形成され前記山部の下面に当接して前記屋根材を支持することを特徴としている。
【００２０】
固定金具本体の支持部の形状を屋根材の山部と対応する山形に形成することにより、支持部に屋根材の山部を当接させて載置することができ、屋根材をしっかりと支持することができる。
【００２１】
また、本発明の請求項６に係る屋根材の固定金具は、請求項１乃至請求項４の何れかに記載の屋根材の固定金具において、
前記屋根材の山部に応じた形状をなし、前記固定金具本体の支持部に冠着されて前記山部の下面に当接して前記屋根材を支持する座金を更に備えたことを特徴としている。
【００２２】
山形の屋根材には山部が種々の形状のものがある。そこで、固定金具本体の支持部に使用する屋根材の山部に応じた形状の座金を冠着して当該座金に屋根材の山部を載置して固定する。これにより、本発明に係る固定金具を山部の形状が異なる種々の屋根材の固定金具として使用することができ、その結果固定金具に汎用性を持たせることが可能となりコストの低減を図れる。
【００２３】
また、本発明の請求項７に係る屋根材の固定金具は、
梁に固定された母屋に山形の屋根材を固定する屋根材の固定金具であって、
前記母屋に載置される上部と、該上部の一側端から前記母屋の一側の側面に沿って延出した側部と、該側部の下部に形成され前記母屋に係止される係止部と、前記上部の略中央に垂設されたボルトからなる固定金具本体と、
上部が前記屋根材の山部に応じた山形の形状をなして前記山部の下面に当接し、下端部が前記母屋に載置されて前記山部を支持し、頂部の略中央に前記ボルトが貫通するボルト貫通孔が設けられた支持部材と、
前記屋根材の山部の上面と対応した形状をなし、前記山部から突出した前記ボルトが貫通されて前記山部の上面に当接する座金と、
前記山部と前記座金との間に介在される防水パッキンと、
前記山部から突出した前記ボルトに螺合して前記座金と防水パッキンを介して前記山部を前記支持部材と前記固定金具本体と共に前記母屋に固定するナットとを備えたことを特徴としている。
【００２４】
本発明によると、固定金具本体の係止部を母屋に係止して、上部を母屋に載置する。この状態において上部に垂設されたボルトが母屋の上方に垂直に起立するようになる。次いで、支持部材の凹部のボルト貫通孔にボルトを貫通させて当該支持部材の下端部を母屋に載置する。そして、支持部材に屋根材の山部を載置してボルトを当該山部に貫通させて上方に突出させ、山部の上面に防水パッキン、座金を被せてボルトを貫通させてナットを螺合して締め付ける。山部は、下面が支持部材の上面に密着し、上面に座金により防水パッキンが密着して固定される。これにより、屋根材が固定金具を介して母屋に強固に固定される。
【００２５】
また、屋根材は、山部の下面が支持部材の上部に密着し、上面が防水パッキン、座金を介してナットにより固定されることにより、上方から加わる力（圧縮力）、下方から押し上げられる力（引張力）の何れに対しても強度を有しており、駅のプラットホーム等の風当りの強い場所に有効である。更に、支持部材の形状を屋根材の山部に応じた山形に形成することにより、山形の形状が異なる種々の屋根材に適用することが可能である。
【００２６】
また、本発明の請求項８に係る屋根材の固定金具は、請求項７に記載の屋根材の固定金具において、
前記支持部材は、前記固定金具本体の係止部と対向する側に係止部が形成され前記母屋の他側の側面に係止されることを特徴としている。
【００２７】
固定金具本体は、係止部により母屋の一側の側部に係止され、支持部材は、ボルト貫通孔に固定金具本体に垂設されたボルトが貫通して当該固定金具本体に係合されるようになっている。更には、固定金具本体の係止部と対向する側に形成された係止部が母屋の他側の側面に係止される。これにより、固定金具本体と支持部材が母屋の両側面を挟むように取り付けられ、ずれるのを防止することができる。
【００２８】
また、本発明の請求項９に係る屋根材の固定金具は、請求項７又は請求項８に記載の屋根材の固定金具において、
前記母屋は、Ｃ形鋼とされ、前記固定金具本体の係止部は、前記上部に向けて略Ｖ字状に延出されて前記Ｃ形鋼の開口する側の上側部に係止されることを特徴としている。
【００２９】
固定金具本体の係止部をＣ形鋼の開口する側の上側部に係止すると共に、上部をＣ形鋼の上面に載置することにより、固定金具本体をＣ形鋼の母屋に簡単に係止することができるようになる。
【００３０】
また、本発明の請求項１０に係る屋根材の固定金具は、請求項７乃至請求項９に記載の屋根材の固定金具において、
前記母屋は、角形パイプ鋼とされ、前記固定金具本体の係止部は、前記角形パイプ鋼の下面に沿って延出されその先端部が前記角形パイプ鋼の他側の側面に沿って上方に延出されて前記角形パイプ鋼の下面と側面に係止されることを特徴としている。
【００３１】
固定金具本体の係止部を角形パイプ鋼の下面及び他側の側面に係止し、側部を当該角形パイプ鋼の一側の側面に係止し、上部を当該角形パイプ鋼の上面に載置する。これにより、固定金具本体を角形パイプ鋼の母屋に容易に係止することができる。
【００３２】
そして、固定金具の支持部材の上部の形状を屋根材の山部に応じた山形の形状とし、固定金具本体の係止部の形状を母屋の形状に応じた形状とすることで、これらの支持部材と固定金具本体を組み合わせることが可能となる。これにより、固定金具の汎用性が広くなり、山形の形状が異なる種々の屋根材や母屋の形状が異なる建築物の屋根に容易に対応することができる。
【発明の効果】
【００３３】
本発明では、母屋に固定金具本体の係止部を係止しボルトを締め付けることで固定金具本体を母屋に簡単に固定することができ、かつ固定金具本体の支持部に山形の屋根材の山部を載置し、山部の上面に防水パッキンと座金を被せて山部にから突出した前記ボルトを貫通させてナットで固定するようになっている。これによって、母屋に山形の屋根材を簡単に固定することができ、かつ引張力及び圧縮力の何れに対しても強度を有すると共に施工が容易になる。更に、屋根材の葺き替えに際して騒音の発生が殆ど無くかつ作業性を向上させることができる。
【００３４】
また、ボルトは、支持部のねじ孔に締め付けられ、更にナットが締め付けられることにより、ダブルナットと同様の効果が得られ、駅のプラットホーム等に取り付けた際に温度変化や電車の振動等に起因する緩みが防止される。
【図面の簡単な説明】
【００３５】
【図１】本発明の一実施形態に係る屋根材の固定金具の斜視図である。
【図２】図１に示した固定金具により母屋に山形の屋根材を固定した状態を示す断面図である。
【図３】図２に示した固定金具により母屋に山形の屋根材を固定した状態の矢線III−IIIに沿う断面図である。
【図４】図１に示した固定金具本体の変形例を示す正面図である。
【図５】図２に示した固定金具本体の変形例を示す側面図である。
【図６】図１に示した固定金具に補助材を使用して山部の形状が異なる山形の屋根材を母屋に固定した状態の場合の断面図である。
【図７】本発明の他の実施形態に係る屋根材の固定金具の断面図である。
【図８】図７に示した屋根材の固定金具の矢線VIII−VIIIに沿う断面図である。
【発明を実施するための形態】
【００３６】
以下、本発明の一実施形態に係る屋根材の固定金具について図面に基づいて説明する。図１は、本発明の一実施形態に係る屋根材の固定金具の斜視図である。屋根材の固定金具（以下単に「固定金具」という）１は、図２に示す梁２に固定された母屋３に屋根材４を固定するためのものである。屋根材４は、山形の屋根材で図３に示すように平坦部４ａと山部４ｂからなり、山部４ｂは、雨水の流れ方向（長手方向）に沿って所定の間隔を存して形成されている。山部４ｂは、例えば図３に示すように断面略二等辺三角形状をなしている。この屋根材４は、例えば耐蝕性に優れたガルバリウム鋼板により形成され、全面に防錆塗装が施され、更に表面（上面）に所定のカラー塗装が施されている。また、母屋３は、例えば図２に示すようにＣ形鋼とされており、底部３ａが梁２に固定されている。
【００３７】
図１に示すように固定金具１は、固定金具本体１１、防水パッキン１２、座金１３、ボルト１４、及びナット１５により構成されている。固定金具本体１１は、屋根材４の山部４ｂの下面を支える支持部２１、支持部２１の一側端から母屋３に沿って下方に延出された側部２２、側部２２の下部から延出して母屋３に係止される係止部２３が一体に形成されている。
【００３８】
支持部２１は、図１及び図３に示すように上面２１ａが屋根材４の山部４ｂの下面と同じ形状の山形をなす二等辺三角形状をなし、上方から見て山部４ｂの長手方向に沿って長い長方形状をなしている。即ち、支持部２１は、図３に示すように両側の上面２１ａが山部４ｂの対応する両側の下面に当接可能とされている。そして、支持部２１の頂部略中央位置に図１乃至図３に示すようにねじ孔２１ｂが形成されている。このねじ孔２１ｂは、支持部２１の頂部中央位置を内方に円筒形状に膨出させて形成されている。
【００３９】
支持部２１は、各上面２１ａの一側端が曲面をなして平板状の側部２２の上部に滑らかに連設されている。そして、側部２２の下部に係止部２３が連設して形成されている。係止部２３は、側部２２の下部が支持部２１側に向って略Ｖ字形状に折曲されて斜め上方に延出し、先端部２３ａが支持部２１の下方の略中央部近傍に位置し、かつ支持部２１と略平行をなしている。そして、支持部２１の上面２１ａの各一側の下端部から側部２２、係止部２３の先端部２３ａまでの両側部が内側に略直角に折曲されてリブ２４が連設して一体に形成されている。かかる形状の固定金具本体１１は、例えば屋根材４と同じガルバリウム鋼板をプレス加工により成形して一体に形成されている。
【００４０】
このように、支持部２１、側部２２及び係止部２３をプレス加工により一体に形成し、更に支持部２１の一側の下端から側部２２及び係止部２３の先端部２３ａまでの両側にリブ２４を連続して形成することにより、支持部２１及び係止部２３の引張力や圧縮力に対する強度を高くすることができる。これにより、固定金具本体１１を薄板鋼板で形成することができ、軽量化及びコストの低減を図ることが可能となる。
【００４１】
座金１３は、上面１３ａが屋根材４の山部４ｂの上面と同じ形状の山形をなす二等辺三角形状をなし、支持部２１の上面２１ａと略同じ長さとされている。そして、頂部の略中央位置に支持部２１のねじ孔２１ｂと対応する位置にボルト貫通孔１３ｂが設けられている。
【００４２】
防水パッキン１２は、座金１３と同様の山形の形状をなし、頂部中央位置にボルト貫通孔１３ｂと対応してボルト貫通孔１２ｂが設けられている。この防水パッキン１２は、図１に示すように座金１３と同じ山形の形状に形成してもよく、或いは平板状であってもよい。防水パッキン１２は、平板状をなしていても後述するように屋根材４の山部４ｂの上面と座金１３との間に介在され当該座金１３により押し付けられて山部４ｂの上面に密接されるため特に問題はない。
【００４３】
ボルト１４は、先端部（上端部）１４ａがテーパ状に細くなりかつ先端が丸く形成され、下端面１４ｂが平面とされ、先端部１４ａとねじ部との間に締付用の六角部１４ｃが形成されている。ボルト１４は、固定金具本体１１のねじ孔２１ｂに螺合されて下端面１４ｂが母屋３の上面３ｅに圧接して固定金具本体１１を母屋３に固定すると共に、上部が屋根材４の山部４ｂを貫通して上方に突出し、防水パッキン１２、座金１３、ナット１５により固定金具本体１１に屋根材４を固定する。
【００４４】
以下に固定金具１により母屋３に屋根材４を固定する場合について説明する。図２及び図３に示すように母屋３の開口部から固定金具本体１１の係止部２３を挿入し、当該固定金具本体１１の側部２２及び係止部２３の両側のリブ２４の端面を母屋３の開口する側の上側部３ｂの側面３ｃ及び端面３ｄとの角部（エッジ）に引っ掛けて当接させる。次いで、支持部２１のねじ孔２１ｂにボルト１４を螺合し、レンチで六角部１４ｃを回して締め付け、下端面１４ｂを母屋３の上面３ｅに圧接させる。固定金具本体１１は、ボルト１４の締め付けに伴い側部２２と係止部２３のリブ２４が母屋３の上側部３ｂに圧接し、支持部２１がボルト１４により母屋３の上面３ｅに強固に係止される。これにより、母屋３に固定金具本体１１を簡単にかつ強固に固定することができる。
【００４５】
次いで、固定金具本体１１の支持部２１の上面２１ａに屋根材４の山部４ｂを載置してボルト１４を当該山部４ｂの頂部に貫通させる。具体的には支持部２１の上面２１ａに屋根材４の山部４ｂを載置してボルト１４と対応する位置に上方からパイプを当てて当該パイプの上端面を叩き、ボルト１４を屋根材４の山部４ｂの頂部に貫通させる。ボルト１４は、先端部１４ａがテーパ状に細く形成されていることにより、屋根材４を容易に貫通することが可能である。これにより、屋根材４の山部４ｂに予めボルト貫通孔を形成する必要がなくかつボルト１４との位置合わせをする必要が無くなり、固定金具本体１１の取り付け位置に応じて屋根材４を簡単に固定することが可能である。
【００４６】
次いで、防水パッキン１２のボルト貫通孔１２ｂ、座金１３のボルト貫通孔１３ｂに屋根材４の山部４ｂの頂部から突出しているボルト１４を順次貫通させてこれらを山部４ｂの上面に被せる。次いで、ボルト１４にナット１５を螺合して締め付ける。ナット１５の締め付けに伴い山部４ｂの下面が支持部２１の上面２１ａに密着し、座金１３により防水パッキン１２が山部４ｂの上面に押し付けられて密着して固定される。これにより、屋根材４が固定金具１を介して母屋３に強固に固定される。
【００４７】
固定金具１のボルト１４は、固定金具本体１１の支持部２１のねじ孔２１ｂに締め付けられ、更にナット１５が締め付けられることによりダブルナットと同様の効果が得られるこれにより、駅のプラットホームに取り付けた際に温度変化や電車の振動等に起因するボルト１４の緩みが有効に防止される。また、防水パッキン１２により雨漏りが防止される。
【００４８】
屋根材４は、山部４ｂの下面が固定金具本体１１の支持部２１の上面２１ａに密着し、上面が防水パッキン１２、座金１３に密着してナット１５により固定されることにより、上方から加わる力（圧縮力）、下方から押し上げられる力（引張力）の何れに対しても強度を有している。従って、固定金具１は、プラットホーム等の風当りの強い場所において屋根材４を母屋３に固定する場合に極めて有効である。しかも、屋根材の葺き替えに際して騒音の発生が殆ど無くかつ作業性が良く、終電から初電までの深夜の短い時間帯に能率良く葺き替えを行うことが可能である。
【００４９】
図４は、本発明に係る固定金具本体１１の変形例を示す。尚、図４において図1に示した固定金具本体１１と対応する部位には対応する符号を付して詳細な説明を省略する。固定金具本体１１’は、支持部２１’の上面２１ａ’と側部２２’との連設部から側部２２’、係止部２３’の先端部２３ａ’まで内側（母屋３の側面３ｃ側）に膨出する複数、例えば２本の断面略半円形状のリブ２４’を連続して形成したものである。そして、これらのリブ２４’の頂部を図２に示す母屋３の上側部３ｂの側面３ｃ及び端面３ｄの角部（エッジ）に当接させるようにしたものである。母屋３への取り付け、屋根材４の取り付け及び作用効果については固定金具本体１１の場合と同様である。
【００５０】
図５は、本発明に係る固定金具本体１１の変形例を示し、母屋５としてＣ形鋼の母屋３に代えて角形パイプ鋼を使用した場合を示している。尚、図５において図1に示した固定金具本体１１と対応する部位には対応する符号を付して詳細な説明を省略する。母屋５は、下面５ａが図示しない梁に固定されている。
【００５１】
固定金具本体１１”は、側部２２”が母屋５の側面５ｂよりも僅かに長く、支持部２１”の下端が母屋５の上面５ｄと間隔を存して対向している。係止部２３”は、側部２２”の下部から支持部２１”方向に直角に、即ち母屋５の下面５ａに沿って延出し、先端部２３ａ”が他側の側面５ｃに沿って上方に直角に折曲されている。係止部２３”の先端部２３ａ”は、側面５ｃの下部に僅かに係止可能な長さとされており、母屋５に取り付け易くなっている。そして、支持部２１の上面２１ａ”の各一側の下端部から側部２２”、係止部２３”の先端部２３ａ”までの両側部が内側に略直角に折曲されてリブ２４”が連設して一体に形成されている。
【００５２】
固定金具本体１１”は、図示のように支持部２１”の下端から側部２２”、係止部２３”、先端部２３ａ”に連設されたリブ２４”の端面が母屋５の側面５ｂ、下面５ａ、側面５ｃに当接して係止され、支持部２１”の頂部に形成されたねじ孔２１ｂ”に螺合されたボルト１４の下端面１４ｂが母屋５の上面５ｄに圧接して当該母屋５に固定される。これにより、母屋５に固定金具本体１１”を容易にかつ強固に固定することができる。固定金具本体１１”への屋根材４の取り付け及び作用効果については固定金具本体１１の場合と同様である。
【００５３】
図６は、本発明に係る固定金具本体１１を図２及び図３に示した屋根材４と異なる山形の屋根材に適用する場合の使用例を示す。屋根材６は、山部６ｂの上部６ｃが断面略半円形状をなし、下部６ｄが平坦部６ａに向って段差をなして広がる形状をなしている。そして、山部６ｂの幅が図３に示す屋根材４の二等辺三角形状の山部４ｂの幅よりも幅広く形成されている。即ち、屋根材６は、屋根材４と比して山部６ｂの断面形状が山部４ｂの断面形状と異なり、かつ幅広く形成されている。
【００５４】
この屋根材６を図１に示した固定金具１を使用して母屋３に固定する場合、固定金具本体１１に補助部材として座金１７を使用する。座金１７は、断面形状が山部６ｂの上部６ｃと同じ略半円形状に形成され、支持部２１と略同じ長さとされ、頂部中央位置にボルト貫通孔１７ｂが形成されている。そして、座金１７の上面が上部６ｃの下面に当接可能とされている。また、座金１８は、断面形状が山部６ｂの上部６ｃの断面形状と略同じ円弧をなして形成され、座金１７と略同じ長さとされ、頂部中央位置にボルト貫通孔１８ｂが形成されている。
【００５５】
固定金具本体１１は、母屋３にボルト１４で固定される。そして、固定金具本体１１の支持部２１に座金１７を冠着してボルト貫通孔１７ｂにボルト１４を貫通させる。次いで、座金１７に屋根材６の山部６ｂを載置してボルト１４を貫通させ、当該山部６ｂの上面に防水パッキン１９を被せてボルト貫通孔１９ｂにボルト１４を貫通させる。次いで、座金１８を被せて防水パッキン１９を山部６ｂに押し付けながらナット１５を締め付けて固定金具本体１１に屋根材６を固定する。この場合、防水パッキン１９は、平板状の防水パッキンを使用しても座金１８により押し付けられて山部６ｂの上面形状に沿って湾曲して密着するので問題はない。
【００５６】
このように、固定金具本体１１の支持部２１に屋根材６の山部６ｂの形状に応じた座金１７を補助部材として冠着することにより、固定金具本体１１を山部の形状が異なる種々の山形の屋根材の固定金具として使用することが可能となる。これにより、固定金具本体１１に汎用性を持たせることが可能となり、コストの低減を図ることが可能となると共に作業性の向上も図られる。
【００５７】
図７及び図８は、本発明に係る屋根材の固定金具の他の実施形態を示し、図７は固定金具３１を母屋３に固定した状態の断面図、図８は、図７に示した固定金具３１の矢線VIII−VIIIに沿う断面図である。図７及び図８に示すように固定金具３１は、屋根材４の山部４ｂの下面を支える支持部材３２と該支持部材３２を母屋３に固定する固定金具本体３３とを別体に形成したものである。
【００５８】
支持部材３２は、上部３２ａが図８に２点鎖線で示す屋根材４の山部４ｂと略同じ形状の山形をなし、かつ頂部３２ｂが山部４ｂよりも僅かに高い二等辺三角形状をなしている。支持部材３２は、図７に示すように母屋３の上面３ｅの幅よりも僅かに長く、上部３２ａの一側が母屋３の上面３ｅから側面３ｆに沿って僅かに下方に延出して係止部３２ｄとされている。支持部材３２は、係止部３２ｄが母屋３の側面３ｆに当接して係止された図示の状態において、上部３２ａの他側から係止部３２ｄまでの下端部の長さが母屋３の上面３ｅの幅と略同じ長さとされている。
【００５９】
支持部材３２は、頂部３２ｂの略中央部、即ち母屋３の上面３ｅの中央部と対応する部位にボルト貫通孔３２ｆが穿設されている。支持部材３２は、図８に示すように頂部３２ｂが山部４ｂの下面に当接し、下端面３２ｃの角部が母屋３の上面３ｅに当接し、図７に示すように係止部３２ｄが母屋３の側面３ｆに係止される。この係止部３２ｄは、後述する固定金具本体３３の係止部３３ｃと母屋３を挟んで対向する側に形成されている。
【００６０】
固定金具本体３３は、図７に示すように上部３３ａが母屋３の上面３ｅに載置され、一側が母屋３の上側部３ｂに沿って折曲されて側部３３ｂとされ、当該側部３３ｂの下部が上部３３ａに向って略Ｖ字形状に折曲されて斜め上方に延出して係止部３３ｃとされている。上部３３ａは、母屋３の上面３ｅの幅と略同じ長さとされ、その幅が図８に示すように支持部材３２の下端部の間隔よりも僅かに狭く形成されている。そして、上部３３ａの略中央位置に穿設されたボルト貫通孔３３ｄにボルト３４が下方から垂直に貫通され、その頭部３４ａがボルト貫通孔３３ｄの周縁部に固定されている。これにより、固定金具本体３３とボルト３４が一体とされている。尚、ボルト貫通孔３３ｄの下面の周縁部は、ボルト３４の頭部３４ａを下面と僅かな隙間を持たせて収容し得るように窪んで形成されている。
【００６１】
図７に示すように母屋３の開口部から固定金具本体３３の係止部３３ｃを挿入し、当該母屋３の開口する側の上側部３ｂの下端部に引っ掛けて係止し、上部３３ａを母屋３の上面３ｅに載置する。次いで、支持部材３２のボルト貫通孔３２ｆに固定金具本体３３のボルト３４を貫通させ、図８に示すように下端部が固定金具本体３３の上部３３ａを跨ぐようにして当該支持部材３２を母屋３の上面３ｅに載置すると共に、係止部３２ｄを母屋３の側面３ｆに当接させて係止する。
【００６２】
支持部材３２と固定金具本体３３は、ボルト３４により係合され、かつ支持部材３２と固定金具本体３３は、係止部３２ｄと係止部３３ｃにより母屋３の両側部を挟むように取り付けられることにより、図７の矢印Ａ及び矢印Ｂで示す方向へのずれ（動き）が防止される。
【００６３】
次いで、支持部材３２に２点鎖線で示す屋根材４の山部４ｂを載置してボルト３４を貫通させ、２点鎖線で示すように防水パッキン３６、座金３７を被せてナット３８で固定する。このようにして、屋根材４を母屋３に固定する。屋根材４は、山部４ｂの下面が支持部材３２の上部３２ａに密着し、上面が防水パッキン３６、座金３７を介してナット３８により固定されることにより、上方から加わる力（圧縮力）、下方から押し上げられる力（引張力）のどちらに対しても強度を有している。従って、固定金具３１は、特に駅のプラットホーム等の風当りの強い場所において屋根材を母屋に固定するのに極めて適している。
【００６４】
尚、固定金具３１を例えば図６に示した屋根材６に適用する場合には、支持部材３２の上部３２ａの断面形状を山部６ｂと同様の断面略半円形状とすることにより容易に対応することが可能である。また、固定金具３１を図５に示した角形パイプ鋼の母屋５に適用する場合には、固定金具本体３３の係止部３３ｃを図５に示す固定金具本体１１”の係止部２３”のように母屋５の形状に応じた角形に形成することにより対応することが可能である。
【００６５】
そして、固定金具３１の支持部材３２の上部３２ａの形状を屋根材の山部に応じた山形の形状とし、固定金具本体３３の係止部３３ｃの形状を母屋の形状に応じた形状とすることで、これらの支持部材３２と固定金具本体３３を組み合わせることが可能になる。これにより、固定金具３１の汎用性が広くなり、山形の形状が異なる種々の屋根材や母屋の形状が異なる建築物の屋根に容易に対応することができる。
【００６６】
また、図７に示す母屋３をＣ形鋼に代えて側面３ｆの無い山形鋼（アングル・バー）を使用する場合は、固定金具本体３３の上部３３ａの側部３３ｂと反対側の端部を下側かつ内側に略Ｕ字形状に折り曲げて係止部を形成して前記山形鋼の一側（上側）の端部に挟んで係止し、側部３３ｂの係止部３３ｃを前記山形鋼の他側（下側）の端部に係止させて、山形鋼の母屋に固定金具本体３３を固定するようにしても良い。この場合、支持部材３２の係止部３２ｄは不要である。
【００６７】
尚、上記実施形態においては、駅のプラットホームの母屋に山形の屋根材を固定する場合について記述したが、これに限るものではなく、工場や倉庫等の母屋に山形の屋根材を固定する場合にも同様にして適用することができることは勿論である。
【００６８】
以上説明したように、本発明が適用される母屋は、Ｃ型鋼や角形パイプ鋼に限定されず、アングル等、本発明を逸脱しない範囲で様々な形態の母屋に適用可能である。
【符号の説明】
【００６９】
１    （屋根材の）固定金具
２    梁
３    母屋（Ｃ形鋼）
３ａ    底部
３ｂ    上側部
３ｃ    側面
３ｄ    端面
３ｅ    上面
３ｆ    側面
４    屋根材
４ａ    平坦部
４ｂ    山部
５    母屋（角形パイプ鋼）
５ａ    下面
５ｂ，５ｃ    側面
５ｄ    上面
６    屋根材
６ａ    平坦部
６ｂ    山部
６ｃ    上部
６ｄ    下部
１１，１１’，１１”    固定金具本体
１２    防水パッキン
１２ｂ    ボルト貫通孔
１３    座金
１３ａ    上面
１３ｂ    ボルト貫通孔
１４    ボルト
１４ａ    先端部（上端部）
１４ｂ    下端面
１４ｃ    六角部
１５    ナット
１７    座金
１７ｂ    ボルト貫通孔
１８    座金
１８ｂ    ボルト貫通孔
１９    防水パッキン
１９ｂ    ボルト貫通孔
２１，２１’，２１”    支持部
２１ａ，２１ａ’，２１ａ”    上面
２１ｂ，２１ｂ’，２１ｂ”    ねじ孔
２２，２２’，２２”    側部
２３，２３’，２３”    係止部
２３ａ，２３ａ’，２３ａ”    先端部
２４，２４’，２４”    リブ
３１    固定金具
３２    支持部材
３２ａ    上部
３２ｂ    頂部
３２ｃ    下端面
３２ｄ    係止部
３２ｆ    ボルト貫通孔
３３    固定金具本体
３３ａ    上部
３３ｂ    側部
３３ｃ    係止部
３３ｄ    ボルト貫通孔
３４    ボルト
３４ａ    頭部
３６    防水パッキン
３７    座金
３８    ナット
【図１】
2011043033.tif 000003
【図２】
2011043033.tif 000004
【図３】
2011043033.tif 000005
【図４】
2011043033.tif 000006
【図５】
2011043033.tif 000007
【図６】
2011043033.tif 000008
【図７】
2011043033.tif 000009
【図８】
2011043033.tif 000010